(57)【要約】【課題】  メカシャッタの駆動による電力消費を低減させる。【解決手段】  デジタルカメラ２は、被写体光をＣＣＤ４６に取り込むための露光開口２１を閉じる閉じ位置と、露光開口２１を開放する開き位置との間で移動自在とされており、レリーズ操作に応答して開き位置から閉じ位置に移動するシャッタ羽根２４と、レリーズ操作がなされてから、シャッタ羽根２４が開き位置から閉じ位置に移動するまでの時間が、露光時間の最大値よりも大きくなるように、シャッタ羽根２４の移動を遅延させるガバナ機構２９とを備えている。ＣＰＵ４４は、測光・測距回路５９の検出結果に基づいて決定した露光時間に応じて、シャッタ羽根２４が閉じ位置に移動して露光開口２１が閉じられる時間と、ＣＣＤ４６で露光を終了する時間とが略一致するように、ＣＣＤ４６で露光を開始するタイミングを変化させる。【選択図】        図３
2005345724.tif 000002
【特許請求の範囲】
【請求項１】
被写体光を撮像して撮像信号を出力する撮像素子と、レリーズ操作の前に被写体の露光条件を検出する露光条件検出手段と、前記露光条件の検出結果に基づいて、前記撮像素子で前記被写体光を取り込む露光時間を決定し、決定した露光時間で露光を行うように、前記撮像素子の駆動を制御する制御手段とを有するデジタルカメラにおいて、
前記被写体光を前記撮像素子に取り込むための露光開口を閉じる閉じ位置と、前記露光開口を開放する開き位置との間で移動自在とされており、前記レリーズ操作に応答して前記開き位置から前記閉じ位置に移動するシャッタ羽根と、
前記レリーズ操作がなされてから、前記シャッタ羽根が前記開き位置から前記閉じ位置に移動するまでの時間が、前記露光時間の最大値よりも大きくなるように、前記シャッタ羽根の移動を遅延させる遅延機構とを備え、
前記制御手段は、前記決定した露光時間に応じて、前記シャッタ羽根が前記閉じ位置に移動して前記露光開口が閉じられる時間と、前記撮像素子で露光を終了する時間とが略一致するように、前記撮像素子で露光を開始するタイミングを変化させることを特徴とするデジタルカメラ。
【発明の詳細な説明】
【技術分野】
【０００１】
本発明は、被写体光を撮像して撮像信号を出力する撮像素子と、レリーズ操作の前に被写体の露光条件を検出する露光条件検出手段と、露光条件の検出結果に基づいて、撮像素子で被写体光を取り込む露光時間を決定し、決定した露光時間で露光を行うように、撮像素子の駆動を制御する制御手段とを有するデジタルカメラに関する。
【背景技術】
【０００２】
ＣＣＤなどの固体撮像素子で撮像した被写体光をデジタルの画像データに変換し、内蔵メモリやメモリカードなどに記録するデジタルカメラが普及している。このようなデジタルカメラでは、ＣＣＤの電荷掃き出しタイミングを制御することで、被写体光の露光時間を制御している。また、スミアの防止を目的として、いわゆるメカシャッタを搭載している（特許文献１参照）。
【０００３】
【特許文献１】特開２００２−２９０８２３号公報
【発明の開示】
【発明が解決しようとする課題】
【０００４】
従来のデジタルカメラに搭載されるメカシャッタは、電磁石やコイルにより開閉駆動される。このため、メカシャッタを駆動させるために多大な電力が掛かり、電池交換を頻繁に行う必要があるなど、ランニングコストの面で問題となっていた。
【０００５】
本発明は、上記課題を鑑みてなされたものであり、メカシャッタの駆動による電力消費を低減させることができるデジタルカメラを提供することを目的とする。
【課題を解決するための手段】
【０００６】
上記目的を達成するために、本発明は、被写体光を撮像して撮像信号を出力する撮像素子と、レリーズ操作の前に被写体の露光条件を検出する露光条件検出手段と、前記露光条件の検出結果に基づいて、前記撮像素子で前記被写体光を取り込む露光時間を決定し、決定した露光時間で露光を行うように、前記撮像素子の駆動を制御する制御手段とを有するデジタルカメラにおいて、前記被写体光を前記撮像素子に取り込むための露光開口を閉じる閉じ位置と、前記露光開口を開放する開き位置との間で移動自在とされており、前記レリーズ操作に応答して前記開き位置から前記閉じ位置に移動するシャッタ羽根と、前記レリーズ操作がなされてから、前記シャッタ羽根が前記開き位置から前記閉じ位置に移動するまでの時間が、前記露光時間の最大値よりも大きくなるように、前記シャッタ羽根の移動を遅延させる遅延機構とを備え、前記制御手段は、前記決定した露光時間に応じて、前記シャッタ羽根が前記閉じ位置に移動して前記露光開口が閉じられる時間と、前記撮像素子で露光を終了する時間とが略一致するように、前記撮像素子で露光を開始するタイミングを変化させることを特徴とする。
【発明の効果】
【０００７】
本発明のデジタルカメラによれば、被写体光を撮像素子に取り込むための露光開口を閉じる閉じ位置と、露光開口を開放する開き位置との間で移動自在とされており、レリーズ操作に応答して開き位置から閉じ位置に移動するシャッタ羽根と、レリーズ操作がなされてから、シャッタ羽根が開き位置から閉じ位置に移動するまでの時間が、露光時間の最大値よりも大きくなるように、シャッタ羽根の移動を遅延させる遅延機構とを備え、制御手段は、決定した露光時間に応じて、シャッタ羽根が閉じ位置に移動して露光開口が閉じられる時間と、撮像素子で露光を終了する時間とが略一致するように、撮像素子で露光を開始するタイミングを変化させるので、メカシャッタの駆動による電力消費を低減させることができる。
【発明を実施するための最良の形態】
【０００８】
図１および図２において、本発明を適用したデジタルカメラ２の前面には、撮像レンズ１０を保持するレンズ鏡胴１１、およびファインダ対物窓１２が組み込まれている。デジタルカメラ２の上面には、レリーズボタン１３が設けられており、側面には、メモリカード５６（図５参照）が着脱自在に装填されるメモリカードスロットを覆う蓋１４が設けられている。
【０００９】
デジタルカメラ２の背面には、ファインダ接眼窓１５、液晶表示器（ＬＣＤ）１６、操作部１７、およびシャッタチャージ部材１８などが設けられている。ＬＣＤ１６は、撮影した画像やいわゆるスルー画像、各種メニュー画面を表示する。操作部１７は、デジタルカメラ２の電源のオンオフを行う際に操作される電源ボタンや、撮像レンズ１０のズーム倍率をワイド側、テレ側に変倍する際に操作されるズーム操作ボタン、ＬＣＤ１６にメニュー画面を表示させたり、選択内容を決定・キャンセルする際などに操作されるメニューボタン、ＬＣＤ１６に表示されるメニュー画面内でカーソルを移動させる際に操作される十字キーなどから構成される。
【００１０】
レリーズボタン１３は、２段階押しのスイッチとなっている。被写体のフレーミングの後に、レリーズボタン１３を軽く押圧（半押し）すると、自動露光調整（ＡＥ）、自動焦点調整（ＡＦ）などの各種撮影準備処理が施される。この状態でレリーズボタン１３をもう１度強く押圧（全押し）すると、撮影準備処理が施された１画面分の撮像信号が画像データに変換された後、後述する画像処理および圧縮処理が施され、メモリカード５６に記録される。
【００１１】
デジタルカメラ２では、静止画撮影を行う静止画撮影モード、撮影した画像をＬＣＤ１６に表示する再生モード、および各種設定を行う設定モードが選択可能となっている。これらのモードの切り替えは、操作部１７を操作することで行われる。
【００１２】
図３および図４に示すように、デジタルカメラ２には、シャッタ装置２０が内蔵されている。シャッタ装置２０は、前面に露光開口２１が形成され、その背後に後述するＣＣＤ４６（図５参照）が配置された暗箱２２と、暗箱２２の前面から突設されたピン２３に回動自在に取り付けられたシャッタ羽根２４と、暗箱２２の上面から突設された軸２５に軸着されたシャッタ駆動レバー２６と、暗箱２２の上面から突設された軸２７に軸着された係止レバー２８と、遅延機構としてのガバナ機構２９と、カム３０とからなる。
【００１３】
シャッタ羽根２４は、１枚のセクタ羽根で構成されており、羽根部２４ａと取り付け部２４ｂとから構成される。取り付け部２４ｂには、前述のピン２３の他に、一端が暗箱２２に取り付けられたバネ３１の他端が取り付けられている。このシャッタ羽根２４は、通常はバネ３１の付勢によって、羽根部２４ａが暗箱２２の前面から突設されたストッパ３２に当接した状態で、露光開口２１を開放する開き位置に保持されている。
【００１４】
シャッタ駆動レバー２６には、シャッタ羽根２４の取り付け部２４ｂの先端を蹴飛ばすための蹴飛ばしアーム２６ａ、カム３０の半円板３０ａと当接するフック２６ｂ、ガバナ機構２９のスイッチギヤ２９ａに噛み合うギヤ２６ｃ、係止レバー２８の裏面に設けられた突起２８ｂと当接する突起２６ｄ、および軸２５に掛け廻されたトーションバネ３３の一端が係止される係止部２６ｅが形成されている。このシャッタ駆動レバー２６は、トーションバネ３３により、図中反時計回りに付勢されている。
【００１５】
蹴飛ばしアーム２６ａの先端部分は、暗箱２２の前面の方向に幅広となった拡幅部２６ｆとなっている。この拡幅部２６ｆの下側には、シャッタ駆動レバー２６が駆動して、蹴飛ばしアーム２６ａがシャッタ羽根２４の取り付け部２４ｂの先端を蹴飛ばした後、シャッタ羽根２４の取り付け部２４ｂの先端が当接する。これにより、シャッタチャージ部材１８が操作されてシャッタチャージが行われるまで、シャッタ羽根２４の羽根部２４ａが暗箱２２の前面から突設されたストッパ３４に当接した状態で、露光開口２１を閉じる閉じ位置に留まる。
【００１６】
係止レバー２８には、カム３０の円板３０ｂに形成された切欠き３５に入り込むフック２８ａ、シャッタ駆動レバー２６の突起２６ｄと当接する突起２８ｂ、レリーズ部２８ｃ、巻止め部２８ｄ、およびトーションバネ３３の他端が係止される係止部２８ｅが形成されている。この係止レバー２８は、トーションバネ３３により、図中時計回りに付勢されている。また、突起２８ｂは、シャッタ駆動レバー２６の突起２６ｄに当接することにより、シャッタ駆動レバー２６を図示するチャージ位置に保持する。
【００１７】
レリーズ部２８ｃは、レリーズボタン１３の全押し操作により、レリーズボタン１３の下部に形成された押圧片（図示せず）により押圧される。これにより、突起２６ｄと突起２８ｂとの当接状態が解除され、シャッタ駆動レバー２６は、トーションバネ３３の付勢により、図中反時計回りに回転するとともに、係止レバー２８は、トーションバネ３３の付勢に抗して、図中反時計回りに回転する。巻止め部２８ｄは、シャッタチャージ部材１８が操作され、シャッタ駆動レバー２６が図中時計回りに回転してチャージ位置に戻されたときに、シャッタチャージ部材１８の外周部に形成された溝１８ａと係合して、シャッタチャージ部材１８の回動をロックする。
【００１８】
ガバナ機構２９は、スイッチギヤ２９ａとアンクル２９ｂとから構成され、これらは取り付け板３６にユニット化して取り付けられている。スイッチギヤ２９ａの回転速度はアンクル２９ｂによって調節される。前述したように、スイッチギヤ２９ａはシャッタ駆動レバー２６のギヤ２６ｃと噛み合うようになっており、シャッタ駆動レバー２６の回転とともに従動する。
【００１９】
取り付け板３６は、図示しないスライド機構などの移動機構により、図中矢印方向に移動自在となっている。取り付け板３６は、レリーズボタン１３の全押し操作後、所定時間経過するまでスイッチギヤ２９ａがギヤ２６ｃと噛み合う位置に留まり、所定時間経過後にスイッチギヤ２９ａとギヤ２６ｃとの噛合が解除される位置まで退避する。
【００２０】
カム３０は、シャッタチャージ部材１８の操作と連動して回転し、半円板３０ａでシャッタ駆動レバー２６のフック２６ａを押すことにより、シャッタ駆動レバー２６をチャージ位置に戻す。
【００２１】
レリーズボタン１３が全押し操作されると、レリーズボタン１３の下部に形成された押圧片が、係止レバー２８のレリーズ部２８ｃを押圧し、係止レバー２８がトーションバネ３３の付勢に抗して図中反時計回りに回転する。これと連動して、シャッタ駆動レバー２６もトーションバネ３３の付勢力により図中反時計回りに回転する。また、このとき、係止レバー２８のフック２８ａと切欠き３４との嵌合、巻き止め部２８とシャッタチャージ部材１８の溝１８ａとの噛合、およびシャッタ駆動レバー２６の突起２６ｄと係止レバー２８の突起２８ｂとの当接状態が解除される。
【００２２】
シャッタ駆動レバー２６が反時計回りに回転していくと、蹴飛ばしアーム２６ａがシャッタ羽根２４の取り付け部２４ｂの先端を蹴飛ばす。これにより、シャッタ羽根２４は、バネ３１の付勢に抗して図中時計回りに回転し、シャッタ羽根２４の羽根部２４ａで露光開口２１を閉じる閉じ位置に移動する。その後、シャッタ羽根２４は、蹴飛ばしアーム２６ａの拡幅部２６ｆにシャッタ羽根２４の取り付け部２４ｂの先端が当接することにより、シャッタチャージ部材１８が操作されてシャッタチャージが行われるまで、閉じ位置に留まる。
【００２３】
シャッタ駆動レバー２６は、シャッタ羽根２４の取り付け部２４ｂの先端を蹴飛ばした後も反時計回りに回転し続け、係止レバー２８のレリーズ部２８ｃに蹴飛ばしアーム２６ａが、カム３０の半円板３０ａにフック２６ｂが当接したときに回転を停止する。シャッタ駆動レバー２６は、シャッタチャージ部材１８を回動操作することにより、元のチャージ位置に戻る。このとき、シャッタ羽根２４は、蹴飛ばしアーム２６ａの拡幅部２６ｆとシャッタ羽根２４の取り付け部２４ｂの先端との当接状態が解除されるので、バネ３１の付勢により開き位置に戻る。
【００２４】
ガバナ機構２９は、レリーズボタン１３の全押し操作がなされてから、シャッタ羽根２４が開き位置から閉じ位置に移動するまでの時間が、ＣＣＤ４６で被写体光を取り込む露光時間の最大値よりも大きくなるように、シャッタ羽根２４の移動を遅延させる。具体的には、シャッタ駆動レバー２６の蹴飛ばしアーム２６ａがシャッタ羽根２４の取り付け部２４ｂの先端を蹴飛ばすまでは、スイッチギヤ２９ａとギヤ２６ｃとを噛み合わせて、所定時間Ｔ１（シャッタ羽根２４の移動時間Ｔ２が露光時間Ｔの最大値よりも大きくなるように予め設定された時間、図６参照）の間、シャッタ駆動レバー２６の回転を遅らせる。そして、所定時間Ｔ１経過後、取り付け板３６を退避させて、スイッチギヤ２９ａとギヤ２６ｃとの噛合を解除する。
【００２５】
デジタルカメラ２の電気的構成を示す図５において、撮像レンズ１０および絞り４０には、レンズモータ４１およびアイリスモータ４２が接続されている。これらのモータ４１、４２はステッピングモータからなり、バス４３および後述する測光・測距回路５９を介してＣＰＵ４４に接続されたモータドライバ４５により駆動制御され、レリーズボタン１３の半押しに伴う撮影準備処理を行う。
【００２６】
レンズモータ４１は、操作部１７のズーム操作ボタンの操作に連動して、撮像レンズ１０のズームレンズをワイド側、あるいはテレ側に移動させる。また、被写体距離やズームレンズの変倍に応じて撮像レンズ１０のフォーカスレンズを移動させ、撮影条件が最適となるように焦点調整を行う。アイリスモータ４２は、絞り４０を動作させ、露出調整を行う。
【００２７】
絞り４０の背後には、前述のシャッタ羽根２４が配置されている。シャッタ羽根２４には、前述のシャッタ駆動レバー２６およびガバナ機構２９が接続されている。これらシャッタ駆動レバー２６およびガバナ機構２９は、前述の通り、レリーズボタン１３の全押し操作の応答して、シャッタ羽根２４をメカシャッタとして駆動させる。
【００２８】
シャッタ羽根２４の背後（暗箱２２内）には、撮像レンズ１０から入射する被写体光を撮像信号に変換するＣＣＤ４６が配置されている。ＣＣＤ４６で変換された撮像信号は、相関二重サンプリング回路（ＣＤＳ）４７に入力される。ＣＤＳ４７は、ＣＣＤ４６から入力された撮像信号を、ＣＣＤ４６の各セルの蓄積電荷量に正確に対応したＲ、Ｇ、Ｂの画像データとして出力する。
【００２９】
ＣＤＳ４７から出力された画像データは、増幅器（ＡＭＰ）４８で増幅される。Ａ／Ｄ変換器（Ａ／Ｄ）４９は、ＡＭＰ４８で増幅された画像データをデジタルの画像データに変換する。Ａ／Ｄ４９から出力されたデジタルの画像データは、画像信号処理回路５０に送信される。
【００３０】
画像信号処理回路５０は、階調変換、ホワイトバランス補正、γ補正処理などの各種画像処理を画像データに施す。画像信号処理回路５０で各種処理を施された画像データは、ＳＤＲＡＭ５１に一旦格納される。このＳＤＲＡＭ５１に格納された画像データは、ＬＣＤドライバ５２によりコンポジット信号に変換され、ＬＣＤ１６に表示される。
【００３１】
ＹＣ処理回路５３は、画像信号処理回路５０で各種処理を施された画像データをＳＤＲＡＭ５１から読み出して、輝度信号Ｙと色差信号Ｃｒ、Ｃｂとに変換する。圧縮伸長処理回路５４は、この変換された画像データに対して、所定の圧縮形式（例えばＪＰＥＧ形式）で画像圧縮を施す。圧縮伸長処理回路５４により圧縮された画像データは、カードＩ／Ｆ５５を介して、メモリカード５６に記録される。
【００３２】
タイミングジェネレータ（ＴＧ）５７は、前述のＡ／Ｄ４９、ＹＣ処理回路５３とともに、ＣＣＤ４６の駆動を制御するＣＣＤドライバ５８に接続している。ＴＧ５７は、これら各部にタイミング信号（クロックパルス）を送信する。ＣＣＤドライバ５８は、ＴＧ５７から送信されるタイミング信号に基づいて、ＣＣＤ４６による電子シャッタのシャッタ速度を調節する。
【００３３】
測光・測距回路５９は、被写体の輝度、および被写体と撮像レンズ１０との距離を検出し、ＣＰＵ４４に検出結果を送信する。ＣＰＵ４４は、この検出結果に基づいて、適正な焦点距離および露光量となるように撮像レンズ１０の各種パラメータを調整する。測光・測距回路５９は、ＣＰＵ４４からフィードバックされる調整信号を元に、モータドライバ４５を駆動制御し、撮像レンズ１０を駆動させる。
【００３４】
ＣＰＵ４４は、バス４３を介して各部に接続し、デジタルカメラ２全体の動作を統括的に制御する。ＣＰＵ４４には、前述のレリーズボタン１３、操作部１７の他に、ＥＥＰＲＯＭ６０が接続されている。ＥＥＰＲＯＭ６０には、各種制御用のプログラムや設定情報などが記録されている。ＣＰＵ４４は、これらの情報をＥＥＰＲＯＭ６０から作業用メモリであるＳＤＲＡＭ５１に読み出して、各種処理を実行する。
【００３５】
ＣＰＵ４４は、測光・測距回路５９の検出結果に基づいて決定した露光時間に応じて、シャッタ羽根２４が閉じ位置に移動して露光開口２１が閉じられる時間と、ＣＣＤ４６で露光を終了する時間とが略一致するように、ＣＣＤ４６で露光を開始するタイミングを変化させる。
【００３６】
次に、上記実施形態による作用について、図６のタイミングチャートを参照して説明する。まず、操作部１７が操作され、静止画撮影モードが選択されると、撮像レンズ１０を介して入射した被写体光は、ＣＣＤ４６により光電変換され、ＣＤＳ４７でサンプリングされる。
【００３７】
ＣＤＳ４７から出力された画像データは、ＡＭＰ４８で増幅され、Ａ／Ｄ４９でデジタルの画像データに変換される。デジタル変換された画像データは、画像信号処理回路５０で各種画像処理が施され、ＳＤＲＡＭ５１に順次格納される。ＳＤＲＡＭ５１に格納された画像データは、ＬＣＤドライバ５２を介して、ＬＣＤ１６にスルー画像として表示される。この状態でレリーズボタン１３が半押しされると、自動露光調整（ＡＥ）、自動焦点調整（ＡＦ）などの各種撮影準備処理が施される。
【００３８】
撮影準備処理後、レリーズボタン１３の全押しにより撮影が実行されると、レリーズボタン１３の下部に形成された押圧片により、係止レバー２８のレリーズ部２８ｃが押圧され、係止レバー２８がトーションバネ３３の付勢に抗して図中反時計回りに回転される。これと連動して、シャッタ駆動レバー２６もトーションバネ３３の付勢力により図中反時計回りに回転され、係止レバー２８のフック２８ａと切欠き３５との嵌合、巻き止め部２８とシャッタチャージ部材１８の溝１８ａとの噛合、およびシャッタ駆動レバー２６の突起２６ｄと係止レバー２８の突起２８ｂとの当接状態が解除される。
【００３９】
シャッタ駆動レバー２６が反時計回りに回転されると、蹴飛ばしアーム２６ａによりシャッタ羽根２４の取り付け部２４ｂの先端が蹴飛ばされる。これにより、シャッタ羽根２４がバネ３１の付勢に抗して図中時計回りに回動され、シャッタ羽根２４の羽根部２４ａで露光開口２１を閉じる閉じ位置に移動される。その後、シャッタ羽根２４は、蹴飛ばしアーム２６ａの拡幅部２６ｆにシャッタ羽根２４の取り付け部２４ｂの先端が当接することにより、シャッタチャージ部材１８が操作されてシャッタチャージが行われるまで、閉じ位置に留められる。
【００４０】
係止レバー２８のレリーズ部２８ｃに蹴飛ばしアーム２６ａが、カム３０の半円板３０ａにフック２６ｂが当接すると、シャッタ駆動レバー２６の回転が停止される。その後、シャッタ駆動レバー２６は、シャッタチャージ部材１８が回動操作されることにより、元のチャージ位置に戻される。このとき、シャッタ羽根２４は、蹴飛ばしアーム２６ａの拡幅部２６ｆとシャッタ羽根２４の取り付け部２４ｂの先端との当接状態が解除されることにより、バネ３１の付勢により開き位置に戻される。
【００４１】
レリーズボタン１３の全押し操作がなされてから、シャッタ駆動レバー２６の蹴飛ばしアーム２６ａがシャッタ羽根２４の取り付け部２４ｂの先端を蹴飛ばすまでは、ガバナ機構２９のスイッチギヤ２９ａとシャッタ駆動レバー２６のギヤ２６ｃとが噛み合わされ、所定時間Ｔ１の間シャッタ駆動レバー２６の回転が遅延される。そして、所定時間Ｔ１経過後、取り付け板３６が退避されて、スイッチギヤ２９ａとギヤ２６ｃとの噛合が解除される。これにより、レリーズボタン１３の全押し操作がなされてから、シャッタ羽根２４が開き位置から閉じ位置に移動するまでの時間（Ｔ１＋Ｔ２）が、ＣＣＤ４６で被写体光を取り込む露光時間Ｔの最大値よりも大きくなるように、シャッタ羽根２４の移動が遅延される。
【００４２】
ＣＰＵ４４では、測光・測距回路５９の検出結果に基づいて決定した露光時間に応じて、図６中の時間Ｔ３を変化させ、ＣＣＤ４６で露光を開始するタイミングが設定される。ＣＣＤ４６では、この設定されたタイミングで、ＴＧ５７からのタイミング信号に基づいて、電子シャッタがオープンされ、露光が開始される。そして、シャッタ羽根２４が閉じ位置に移動する時間と略一致する時間に電子シャッタがクローズされ、露光が終了される。露光終了後、ＣＣＤ４６の各セルに蓄積された電荷は、転送路に掃き出される。以上のような経過を経て、一回の撮影動作が終了する。
【００４３】
このようにＣＣＤ４６で取り込まれた被写体光は、ＣＤＳ４７、ＡＭＰ４８、Ａ／Ｄ４９、および画像信号処理回路５０を経て、ＳＤＲＡＭ５１に格納される。ＳＤＲＡＭ５１に格納された画像データは、ＹＣ処理回路５３に読み出され、輝度信号Ｙと色差信号Ｃｒ、Ｃｂとに変換された後、圧縮伸長処理回路５４で圧縮処理が施され、カードＩ／Ｆ５５を経由してメモリカード５６に記録される。
【００４４】
上記のように、電磁石やコイルなどが必要がなく、機械的な制動で動作するシャッタ羽根２４をメカシャッタとして用いたので、メカシャッタを駆動させるために多大な電力を消費することがない。したがって、本発明を適用したデジタルカメラ２は、メカシャッタに電磁石やコイルなどを用いた従来のものと比較して、ランニングコストの面で有利であるといえる。
【００４５】
上記実施形態では、レリーズボタン１３を２段階押しのスイッチとし、半押しで撮影準備処理を施すようにしたが、レリーズボタン１３とは別に、撮影準備処理を行わせる操作部材を設けてもよい。
【００４６】
また、上記実施形態では、遅延機構として、ガバナ機構２９を例示して説明したが、本発明はこれに限定されず、例えば、シャッタ駆動レバー２６の軸２５に板バネの先端を接触させ、この板バネとの摩擦によりシャッタ駆動レバー２６の回転を遅延させてもよい。さらに、シャッタ羽根２４をバネ３１で開き位置に付勢する態様を例示したが、シャッタ羽根２４を逆に閉じ位置に付勢して、レリーズ操作がなされる前はストッパなどで開き位置に保持しておき、レリーズ操作がなされたときにストッパによる保持状態を解除して、シャッタ羽根２４を開き位置から閉じ位置に移動させてもよい。
【図面の簡単な説明】
【００４７】
【図１】本発明を適用したデジタルカメラの正面外観斜視図である。
【図２】デジタルカメラの背面外観斜視図である。
【図３】シャッタ装置の構成を示す外観斜視図である。
【図４】シャッタ装置の構成を示す平面図である。
【図５】デジタルカメラの電気的構成を示すブロック図である。
【図６】デジタルカメラの撮影時のタイミングチャートを示すグラフである。
【符号の説明】
【００４８】
２  デジタルカメラ
１０  撮像レンズ
１３  レリーズボタン
１６  液晶表示器（ＬＣＤ）
１８  シャッタチャージ部材
２０  シャッタ装置
２１  露光開口
２４  シャッタ羽根
２６  シャッタ駆動レバー
２８  係止レバー
２９  ガバナ機構
３０  カム
４４  ＣＰＵ
４６  ＣＣＤ
５７  タイミングジェネレータ（ＴＧ）
５９  測光・測距回路
【図１】
2005345724.tif 000003
【図２】
2005345724.tif 000004
【図３】
2005345724.tif 000005
【図４】
2005345724.tif 000006
【図５】
2005345724.tif 000007
【図６】
2005345724.tif 000008